(57)【要約】【課題】外部から電源装置への供給電力の状態に応じて、負荷の消費電力を最適に調整すること。【解決手段】電力供給制御装置は、電源装置による負荷への電力の供給を制御する。電源装置は、外部から入力される電力を所定の電圧の電力に変換して、負荷に出力するとともに、負荷に印加される電圧が所定範囲となるように、当該電源装置の入力側から出力側への電力の伝達と非伝達との比率を増減させる。負荷は、当該負荷における消費電力を制御されることが可能である。電力供給制御装置は、比率を検知する検知部（Ｓ１１１，Ｓ１２１，Ｓ１３１）と、検知部によって検知された比率に応じて負荷の消費電力を制御する制御部（Ｓ１１３，Ｓ１２４，Ｓ１３３）とを備える。【選択図】図２
2013114922.tif 000002
【特許請求の範囲】
【請求項１】
電源装置による負荷への電力の供給を制御する電力供給制御装置であって、
前記電源装置は、外部から入力される電力を所定の電圧の電力に変換して、前記負荷に出力するとともに、前記負荷に印加される電圧が所定範囲となるように、当該電源装置の入力側から出力側への電力の伝達と非伝達との比率を増減させ、
前記負荷は、当該負荷における消費電力を制御されることが可能であり、
前記比率を検知する検知手段と、
前記検知手段によって検知された前記比率に応じて前記負荷の前記消費電力を制御する制御手段とを備える、電力供給制御装置。
【請求項２】
前記制御手段は、外部から入力される電力の減少に応じて、前記比率が所定値以下または未満となることを制御目標として、前記負荷の前記消費電力を制御する、請求項１に記載の電力供給制御装置。
【請求項３】
前記制御手段は、前記比率が前記所定値以上となった場合は、前記所定値以下または未満となるように前記消費電力を減少させるように制御する、請求項２に記載の電力供給制御装置。
【請求項４】
電源装置による負荷への電力の供給を制御する電力供給制御方法であって、
前記電源装置は、外部から入力される電力を所定の電圧の電力に変換して、前記負荷に出力するとともに、前記負荷に印加される電圧が所定範囲となるように、当該電源装置の入力側から出力側への電力の伝達と非伝達との比率を増減させ、
前記負荷は、当該負荷における消費電力を制御されることが可能であり、
前記比率を検知するステップと、
検知された前記比率に応じて前記負荷の前記消費電力を制御するステップとを含む、電力供給制御方法。
【請求項５】
電源装置と、負荷と、前記電源装置による前記負荷への電力の供給を制御する電力供給制御装置とを有する電気機器であって、
前記電源装置は、
外部から入力される電力を所定の電圧の電力に変換して、前記負荷に出力するとともに、前記負荷に印加される電圧が所定範囲となるように、当該電源装置の入力側から出力側への電力の伝達と非伝達との比率を増減させ、
前記負荷は、
当該負荷における消費電力を制御されることが可能であり、
前記電力供給制御装置は、
前記比率を検知する検知手段と、
前記検知手段によって検知された前記比率に応じて前記負荷の前記消費電力を制御する制御手段とを備える、電気機器。
【発明の詳細な説明】
【技術分野】
【０００１】
この発明は、電力供給制御装置、電力供給制御方法、および、電気機器に関し、特に、電源装置による負荷への電力の供給を制御する電力供給制御装置、電力供給制御方法、および、このような電力供給制御装置を有する電気機器に関する。
【背景技術】
【０００２】
現在、東日本大震災の影響もあり、電力不足が問題となっている。各機器自体は省エネルギーの技術が取入れられる流れがある。しかし、店舗および事務所などに導入されるＩＴ（Information Technology）は増加している上、今まで設置が少なかった公共スペースへのＩＴ機器の導入も進んでおり、電力の供給エリアごとの消費電力は増加傾向にある。
【０００３】
しかし、公共スペースに設置されているＩＴ機器の場合、常時または営業時間中などの所定時間の間、稼働させる必要があるものがある。また、従来から設置されている機器の中にも、停止すると大きな問題を引起こす機器が含まれている。
【０００４】
また、ＩＤＰ（Information Display）に関しても、公共交通システム（電車など）および大型工業プラント（発電所、コンビナートなど）の集中制御室にあるような各機器の中央制御に使用されて常に情報を表示させているディスプレイ、ならびに、前述のシステムでの各種情報（溶鉱炉および焼却炉などのプラントのセンサーでの検出値）を表示するためのディスプレイ、ならびに、公共の場所に設置されている情報を表示するためのディスプレイ（駅に設置されている電車の行先案内板、デパートなどの避難経路表示）などの、公共スペースや重要な施設に設置され、その近辺の多くの人に情報を伝達する用途など、特定の用途に用いられている表示装置は、常に動作を継続し続けることが求められている。
【０００５】
従来、これらの表示機器への電力供給は、緊急時は、ＵＰＳ（Uninterruptible Power Supply）に代表される停電時にも使用可能な電源や非常用発電機で対応されると考えられていた。
【０００６】
しかし、これら緊急時に電力を供給する装置が高価であるため、東日本大震災で発覚したように、その設置率は、限りなく低い。その上、設置されていたとしても、その装置によって供給される電力がまったく足りていない場合があることが発覚している。また、これらの装置は寿命が短いことが多いため、数年ごとの交換が必要であるといった課題もある。
【０００７】
さらに、急激なＩＴ機器の普及の一方、これらの機器への非常時の電源系統は完全には整備されていない。サーバ等の中央機器の電源はバックアップされていたとしても、制御盤および端末装置などの末端部には、緊急電源が配置されていない所も多く存在しているのが現状である。
【０００８】
その結果、夏場のピーク時などの電力需要が増加した際には、発電所からの電力が不足して、コンセント等からの電力が不足し、機器に供給される電力の電圧がドロップすることが懸念されている。さらに、緊急時に電力を供給する装置によって電力がバックアップされている機器においても、増加したＩＴ機器の電力を賄いきれず、供給電力の電圧がドロップする可能性がある。
【０００９】
このような状況において、万一、電力が不足し、電圧が降下した場合であっても、できるだけ装置の動作を続けさせるためには、予め、ディスプレイの輝度を落としたり、音声のボリュームを絞ったりすることで、負荷側の消費電力を予め抑えておくことが考えられる。このようにしておくことによって、ある程度、電力不足に対するマージンを増加させることができる。しかし、これらの方法であると、負荷側の消費電力を予め抑える設定にしておく必要があるため、非常時ではない通常時においても、性能を落として使用することになってしまう。
【００１０】
ここで、特許文献１から特許文献３の電源装置によると、トランスの２次側（電源装置の出力側）の電圧に応じて、スイッチング回路のデューティ比を制御することにより、出力電圧を安定化させることが可能である。
【先行技術文献】
【特許文献】
【００１１】
【特許文献１】特開２０１１−４４６５号公報
【特許文献２】特開２００７−２１５３５９号公報
【特許文献３】特開平１０−２８５９２１号公報
【発明の概要】
【発明が解決しようとする課題】
【００１２】
しかし、特許文献１から特許文献３の電源装置であっても、供給電力の電圧が降下したときにおいて、できるだけ負荷の動作を継続させるためには、緊急時に電力を供給する機能が無い限り、負荷の消費電力を予め抑える設定にしておく必要があった。
【００１３】
このため、外部から電源装置への供給電力が減少していないときに、負荷に最大限の電力を供給することと、外部から電源装置への供給電力が減少したときに、負荷にできるだけ電力を供給することとを両立させることはできなかった。
【００１４】
この発明は、上述の問題を解決するためになされたものであり、その目的の１つは、外部から電源装置への供給電力の状態に応じて、負荷の消費電力を最適に調整することが可能な電力供給制御装置、電力供給制御方法、および、電気機器を提供することである。
【課題を解決するための手段】
【００１５】
上述の目的を達成するために、この発明のある局面によれば、電力供給制御装置は、電源装置による負荷への電力の供給を制御する。電源装置は、外部から入力される電力を所定の電圧の電力に変換して、負荷に出力するとともに、負荷に印加される電圧が所定範囲となるように、当該電源装置の入力側から出力側への電力の伝達と非伝達との比率を増減させる。負荷は、当該負荷における消費電力を制御されることが可能である。電力供給制御装置は、比率を検知する検知部と、検知部によって検知された比率に応じて負荷の消費電力を制御する制御部とを備える。
【００１６】
この発明に従えば、電力供給制御装置によって、電源装置の入力側から出力側への電力の伝達と非伝達との比率が検知され、検知された比率に応じて負荷の消費電力が制御される。電源装置においては、負荷の消費電力を変化させなければ、電源装置へ供給される電力が減少すれば、電力の伝達と非伝達との比率が増加され、電源装置へ供給される電力が増加すれば、電力の伝達と非伝達との比率が減少される。このため、比率に応じて負荷の消費電力を制御することによって、負荷の消費電力を最適に調整可能となる。その結果、外部から電源装置への供給電力の状態に応じて、負荷の消費電力を最適に調整することが可能な電力供給制御装置を提供することができる。
【００１７】
好ましくは、制御部は、外部から入力される電力の減少に応じて、比率が所定値以下または未満となることを制御目標として、負荷の消費電力を制御する。
【００１８】
この発明に従えば、電力供給制御装置によって、外部から入力される電力の減少に応じて、比率が所定値以下または未満となることを制御目標として、負荷の消費電力が制御される。その結果、外部から電源装置への供給電力が減少していないときには、負荷に最大限の電力を供給することができるとともに、外部から電源装置への供給電力が減少したときであっても、負荷にできるだけ電力を供給することができる。
【００１９】
さらに好ましくは、制御部は、比率が所定値以上となった場合は、所定値以下または未満となるように消費電力を減少させるように制御する。
【００２０】
この発明に従えば、電力供給制御装置によって、比率が所定値以上となった場合は、所定値以下または未満となるように消費電力を減少させるように制御される。その結果、外部から電源装置への供給電力が減少していないときには、負荷に最大限の電力を供給することができるとともに、外部から電源装置への供給電力が減少したときであっても、負荷にできるだけ電力を供給することができる。
【００２１】
この発明の他の局面によれば、電力供給制御方法は、電源装置による負荷への電力の供給を制御する方法である。電源装置は、外部から入力される電力を所定の電圧の電力に変換して、負荷に出力するとともに、負荷に印加される電圧が所定範囲となるように、当該電源装置の入力側から出力側への電力の伝達と非伝達との比率を増減させる。負荷は、当該負荷における消費電力を制御されることが可能である。電力供給制御方法は、比率を検知するステップと、検知された比率に応じて負荷の消費電力を制御するステップとを含む。
【００２２】
この発明に従えば、外部から電源装置への供給電力の状態に応じて、負荷の消費電力を最適に調整することが可能な電力供給制御方法を提供することができる。
【００２３】
この発明のさらに他の局面によれば、電気機器は、電源装置と、負荷と、電源装置による負荷への電力の供給を制御する電力供給制御装置とを有する。電源装置は、外部から入力される電力を所定の電圧の電力に変換して、負荷に出力するとともに、負荷に印加される電圧が所定範囲となるように、当該電源装置の入力側から出力側への電力の伝達と非伝達との比率を増減させる。負荷は、当該負荷における消費電力を制御されることが可能である。電力供給制御装置は、比率を検知する検知部と、検知部によって検知された比率に応じて負荷の消費電力を制御する制御部とを備える。
【００２４】
この発明に従えば、外部から電源装置への供給電力の状態に応じて、負荷の消費電力を最適に調整することが可能な電気機器を提供することができる。
【図面の簡単な説明】
【００２５】
【図１】この発明の実施の形態におけるディスプレイの構成の概略を示すブロック図である。
【図２】この実施の形態におけるディスプレイに取付けられる電力供給制御装置で実行される制御処理の流れを示すフローチャートである。
【図３】この実施の形態におけるディスプレイの制御におけるディスプレイの輝度の変化を説明するための図である。
【発明を実施するための形態】
【００２６】
以下、この発明の実施の形態について、図面を参照しながら詳細に説明する。なお、図中の同一または相当部分については、同一符号を付してその説明は繰返さない。
【００２７】
以下の発明の実施の形態においては、電気機器の一例として表示装置の代表例としてのディスプレイ１０にこの発明を適用する場合について説明する。しかし、電気機器は、ディスプレイなどの表示装置に限定されず、消費電力を変化させても動作することが可能であるとともに当該負荷における消費電力を制御されることが可能な負荷を有する電気機器であれば、以下の実施の形態で例示される発明を適用することができる。
【００２８】
電気機器が液晶のディスプレイ１０である場合、制御対象の負荷は、バックライトである。電気機器が空調機器である場合、制御対象の負荷は、冷媒のコンプレッサーが考えられる。電気機器が給湯機器および保温機器など熱源を有する機器である場合、制御対象の負荷は、熱源である。電気機器が工場の製造機器である場合、制御対象の負荷は、物品を加工または搬送するためのモータである。
【００２９】
図１は、この発明の実施の形態におけるディスプレイ１０の構成の概略を示すブロック図である。図１を参照して、ディスプレイ１０は、主な構成として、ディスプレイ制御回路３１０と、バックライト３２０と、バックライト駆動回路３３０と、液晶パネル３４０と、液晶駆動回路３５０と、電源装置２００と、電力供給制御装置１００とを備える。
【００３０】
電源装置２００は、いわゆる、スイッチング電源であり、主な構成として、電源装置制御回路２１０と、整流ブリッジ２２０と、電解コンデンサ２３０と、ＭＯＳ−ＦＥＴ（Metal-Oxide-Semiconductor Field-Effect Transistor、電界効果トランジスタ）２４０と、高周波トランス２５０と、ダイオード２６０と、電解コンデンサ２７０とを備える。
【００３１】
整流ブリッジ２２０は、電源装置２００の入力端子の後段に接続される。電解コンデンサ２３０は、整流ブリッジ２２０の後段に接続される。高周波トランス２５０は、電解コンデンサ２３０の後段に接続される。ＭＯＳ−ＦＥＴ２４０は、電解コンデンサ２３０と高周波トランス２５０との間に接続される。電解コンデンサ２７０は、高周波トランス２５０の後段に接続される。ダイオード２６０は、高周波トランス２５０と電解コンデンサ２７０との間に接続される。電源装置２００の出力端子は、電解コンデンサ２７０の後段に設けられる。
【００３２】
電源装置２００の入力端子には、外部の交流電源２０から交流電力が入力される。整流ブリッジ２２０は、交流電源２０から入力された交流を整流する。電解コンデンサ２３０は、整流ブリッジ２２０で整流された電流を平滑化する。
【００３３】
ＭＯＳ−ＦＥＴ２４０は、電解コンデンサ２３０で平滑化された電流の高周波トランス２５０への伝達および非伝達を、電源装置制御回路２１０からの制御信号に応じて切替えることで、高周波の交流を生成する。
【００３４】
高周波トランス２５０は、ＭＯＳ−ＦＥＴ２４０によって高周波の交流にされた電流の電力を２次側に伝達する。ダイオード２６０は、高周波トランス２５０によって伝達された交流を整流する。電解コンデンサ２７０は、ダイオード２６０によって整流された電流を平滑化した直流を、電源装置２００の出力端子から外部に出力する。
【００３５】
電源装置制御回路２１０は、電源装置２００から出力される直流の電圧を検出し、電源装置２００において予め定められた所定電圧（たとえば、５Ｖ）となるよう、ＭＯＳ−ＦＥＴ２４０の電力の伝達と非伝達とのデューティ比を制御する。なお、所定電圧となるよう制御することに替えて、所定範囲の電圧（たとえば、４．５Ｖから５．５Ｖ）となるよう制御するように構成されていてもよい。
【００３６】
具体的には、電源装置制御回路２１０は、出力電圧が所定電圧よりも小さい場合、デューティ比を増加させる。これにより、出力側に供給される電力が増加され、出力電圧が増加する。一方、電源装置制御回路２１０は、出力電圧が所定電圧よりも大きい場合、デューティ比を減少させる。これにより、出力側に供給される電力が減少され、出力電圧が減少する。
【００３７】
電源装置制御回路２１０は、このように動作するため、交流電源２０からの電力が増加すると、電源装置２００からの出力電圧が所定電圧よりも大きくなる方向に変化するので、デューティ比を減少させる方向に制御する。一方、電源装置制御回路２１０は、交流電源２０からの電力が減少すると、電源装置２００からの出力電圧が所定電圧よりも小さくなる方向に変化するので、デューティ比を増加させる方向に制御する。
【００３８】
バックライト３２０は、バックライト駆動回路３３０からの供給される電力に応じて輝度を変化させて、液晶パネル３４０の背面から光を照射する。液晶パネル３４０は、液晶駆動回路３５０からの制御信号に応じて画素ごとにバックライト３２０からの光の透過率を変化させることで画像の表示を行なう。
【００３９】
液晶駆動回路３５０は、ディスプレイ制御回路３１０からの制御信号に応じて液晶パネル３４０の各画素ごとの印加電圧を制御する制御信号を生成し、液晶パネル３４０に供給する。
【００４０】
バックライト駆動回路３３０は、ディスプレイ制御回路３１０から電力供給制御装置１００を介して入力された制御信号に応じて、電源装置２００からバックライト３２０に供給する電力を変化させてバックライトの輝度を変化させる。
【００４１】
ディスプレイ制御回路３１０は、外部からの映像信号に応じて、バックライト３２０の輝度を所定輝度に制御する制御信号を、電力供給制御装置１００を介してバックライト駆動回路３３０に供給するとともに、各画素ごとの濃度を示す制御信号を液晶駆動回路３５０に供給する。
【００４２】
電力供給制御装置１００は、主な構成として、負荷制御回路１１０と、デューティ比検知回路１２０とを備える。
【００４３】
デューティ比検知回路１２０は、電源装置２００の電源装置制御回路２１０からデューティ比を検知する。デューティ比の検知方法としては、たとえば、ＭＯＳ−ＦＥＴ２４０の制御信号を取得して、オンおよびオフのパルスの比率を測定することによってデューティ比を検知する方法であってもよいし、電源装置制御回路２１０の内部での出力電圧から算出されたデューティ比を、直接、取得することによってデューティ比を検地する方法であってもよい。
【００４４】
負荷制御回路１１０は、ＣＰＵ（Central Processing Unit）およびその補助回路、ならびに、負荷制御回路１１０でプログラムを実行するために必要な作業領域として用いられるＲＡＭ（Random Access Memory）と、負荷制御回路１１０で実行するための基本的なプログラムを記憶するためのＲＯＭ（Read Only Memory）とを含む記憶部からなる。
【００４５】
負荷制御回路１１０は、デューティ比検知回路１２０によって検知されたデューティ比に応じて、ディスプレイ制御回路３１０からの制御信号で示されるバックライト３２０の輝度を変化させた制御信号を、バックライト駆動回路３３０に供給する。この制御方法については、後述する図２で詳細に説明する。
【００４６】
なお、図１においては、電源装置２００からバックライト駆動回路３３０を介してバックライト３２０のみに電力が供給されているように示されているが、電源装置２００からは、電力を必要とするディスプレイ１０の他の部分にも電力が供給される。
【００４７】
図２は、この実施の形態におけるディスプレイに取付けられる電力供給制御装置で実行される制御処理の流れを示すフローチャートである。図２を参照して、この制御処理は、負荷制御回路１１０のＣＰＵによって実行される処理であり、メイン処理のサブルーチンとして実行される。
【００４８】
まず、ステップＳ１１１で、ＣＰＵは、スイッチングトランジスタであるＭＯＳ−ＦＥＴ２４０のデューティ比を、デューティ比検知回路１２０から取得する。そして、ステップＳ１１２で、ＣＰＵは、取得したデューティ比が９０％以上であるか否かを判断する。９０％未満であると判断した場合（ステップＳ１１２でＮＯと判断した場合）、ＣＰＵは、実行する処理をこの制御処理の呼出元のメイン処理に戻す。
【００４９】
一方、デューティ比が９０％以上であると判断した場合（ステップＳ１１２でＹＥＳと判断した場合）、ステップＳ１１３で、ＣＰＵは、バックライト３２０の輝度を表示内容を視認可能な最低レベルにする制御信号を、バックライト駆動回路３３０に出力する。
【００５０】
次に、ステップＳ１２１で、スイッチングトランジスタであるＭＯＳ−ＦＥＴ２４０のデューティ比を、デューティ比検知回路１２０から取得する。そして、ステップＳ１２２で、ＣＰＵは、取得したデューティ比が９０％以上のままであるか否かを判断する。９０％以上のままであると判断した場合（ステップＳ１２２でＹＥＳと判断した場合）、ステップＳ１２３で、ＣＰＵは、ディスプレイ１０を待機状態に制御する制御信号を、ディスプレイ制御回路３１０に出力する。その後、ＣＰＵは、実行する処理をこの制御処理の呼出元のメイン処理に戻す。
【００５１】
電力供給制御装置１００の負荷制御回路１１０からの待機状態に制御する制御信号に応じて、ディスプレイ制御回路３１０は、画像を出力しないように制御する制御信号を液晶駆動回路３５０に出力するとともに、バックライト３２０を消灯する制御信号をバックライト駆動回路３３０に出力する。
【００５２】
一方、デューティ比が９０％未満となったと判断した場合（ステップＳ１２２でＮＯと判断した場合）、ステップＳ１２４で、ＣＰＵは、バックライト３２０の輝度のレベルを１増加する制御信号を、バックライト駆動回路３３０に出力する。
【００５３】
次に、ステップＳ１３１で、スイッチングトランジスタであるＭＯＳ−ＦＥＴ２４０のデューティ比を、デューティ比検知回路１２０から取得する。そして、ステップＳ１３２で、ＣＰＵは、取得したデューティ比が９０％以上となったか否かを判断する。９０％未満であると判断した場合（ステップＳ１３２でＮＯと判断した場合）、ＣＰＵは、実行する処理を、ステップＳ１２４の処理に戻す。
【００５４】
一方、デューティ比が９０％以上となったと判断した場合（ステップＳ１３２でＹＥＳと判断した場合）、ステップＳ１３３で、ＣＰＵは、バックライト３２０の輝度のレベルを１減少する制御信号を、バックライト駆動回路３３０に出力する。その後、ＣＰＵは、実行する処理をこの制御処理の呼出元のメイン処理に戻す。
【００５５】
図３は、この実施の形態におけるディスプレイの制御におけるディスプレイ１０の輝度の変化を説明するための図である。図３を参照して、上段の図で示すように、通常時は、画面の輝度は最も高い状態、つまり、ディスプレイ１０の性能の最大限の状態に設定されるようにする。このため、表示されている画像（ここでは、「ＡＢＣ」の文字）は、表示内容が明確に視認可能な状態である。
【００５６】
電源装置２００への入力電力が減少すると、ディスプレイ１０の輝度が変更されていない間は、電源装置制御回路２１０によって、デューティ比が増加するよう制御される。そして、そのデューティ比が９０％以上となると、図２のステップＳ１１３で説明したように、バックライト３２０の輝度が表示内容を視認可能な最低レベルに制御される。
【００５７】
この状態においては、図３の中段の図で示すように、表示されている画像（ここでは、「ＡＢＣ」の文字）は、表示内容が、最低限、視認可能な状態である。表示内容が、最低限、視認可能な状態とは、たとえば、１０人中、９人のユーザが、画像の内容を認識できる最低限の状態であるが、他の基準であってもよい。
【００５８】
そして、図２で説明した制御の結果、デューティ比が９０％を少し下回るように、バックライト３２０の輝度が制御される。
【００５９】
この状態においては、図３の下段の図で示すように、表示されている画像（ここでは、「ＡＢＣ」の文字）は、表示内容が、図３の上段の図ほどではないが、ある程度、明確に視認可能な状態である。
【００６０】
以上説明したように、この実施の形態における電力供給制御装置１００によれば、以下のような効果が発揮される。
【００６１】
（１）  電力供給制御装置１００は、電源装置２００によるバックライト３２０への電力の供給を制御する。電源装置２００は、外部から入力される電力を所定の電圧の電力に変換して、バックライト３２０に出力するとともに、バックライト３２０に印加される電圧が所定範囲（たとえば、５Ｖ、または、４．５Ｖから５．５Ｖ）となるように、当該電源装置２００の入力側から出力側への電力の伝達と非伝達とのデューティ比を増減させる。バックライト３２０は、当該バックライト３２０における消費電力を制御されることが可能である。電力供給制御装置１００は、負荷制御回路１１０によって、図２のステップＳ１１１、ステップＳ１２１、および、ステップＳ１３１で説明したように、デューティ比検知回路１２０で検知した比率を取得し、ステップＳ１１３、ステップＳ１２４、および、ステップＳ１３３で説明したように、取得されたデューティ比に応じてバックライト３２０の消費電力を制御する。
【００６２】
これにより、電力供給制御装置１００によって、電源装置２００の入力側から出力側への電力の伝達と非伝達とのデューティ比が検知され、検知されたデューティ比に応じてバックライト３２０の消費電力が制御される。電源装置２００においては、バックライト３２０の消費電力を変化させなければ、電源装置２００へ供給される電力が減少すれば、電力の伝達と非伝達とのデューティ比が増加され、電源装置２００へ供給される電力が増加すれば、電力の伝達と非伝達とのデューティ比が減少される。
【００６３】
このため、デューティ比に応じてバックライト３２０の消費電力を制御することによって、バックライト３２０の消費電力を最適に調整可能となる。その結果、外部から電源装置２００への供給電力の状態に応じて、バックライト３２０の消費電力を最適に調整することができる。このように、電力が不足したときのマージンを確保することができる。
【００６４】
また、デューティ比を検知する構成と、デューティ比に応じてバックライト３２０の消費電力を制御する構成とを備えればよいので、複雑な装置を設ける必要もなくすることができ、大きな技術的なブレークスルーも必要なくすることができる。
【００６５】
（２）  また、負荷制御回路１１０は、外部から入力される電力の減少に応じて、デューティ比が所定値（たとえば、９０％）未満となることを制御目標として、バックライト３２０の消費電力を制御する。
【００６６】
これにより、電力供給制御装置１００によって、外部から入力される電力の減少に応じて、デューティ比が所定値未満となることを制御目標として、バックライト３２０の消費電力が制御される。その結果、外部から電源装置２００への供給電力が減少していないときには、バックライト３２０に最大限の電力を供給することができるとともに、外部から電源装置２００への供給電力が減少したときであっても、バックライト３２０にできるだけ電力を供給することができる。
【００６７】
（３）  さらに、負荷制御回路１１０は、デューティ比が所定値以上となった場合は、所定値未満となるように消費電力を減少させるように制御する。
【００６８】
これにより、電力供給制御装置１００によって、デューティ比が所定値以上となった場合は、所定値未満となるように消費電力を減少させるように制御される。その結果、外部から電源装置２００への供給電力が減少していないときには、バックライト３２０に最大限の電力を供給することができるとともに、外部から電源装置２００への供給電力が減少したときであっても、バックライト３２０にできるだけ電力を供給することができる。
【００６９】
なお、スイッチング電源である電源装置２００は、通常、最大負荷状態での動作電圧を保証値としているので、負荷の消費電力を減少させれば、より小さい入力電力でも、出力電圧を確保することができ、負荷に必要な電圧を供給することが可能となる。
【００７０】
また、ディスプレイ１０などの電気機器において、バックライト３２０などの高負荷のデバイスの消費電力を減少させることで、電気機器の他のデバイス（たとえば、電気機器全体および電源装置の制御回路など）へ供給される電力が低電圧となることを防止できるので、電気機器の動作に障害を来たすことを防止することができる。
【００７１】
なお、バックライト３２０などの高負荷のデバイスとして、低電力での動作時の電力効率が高いものを用いることによって、電力供給制御装置１００によって、電力が不足したときのマージンをさらに確保することができる。
【００７２】
次に、上述した実施の形態の変形例を説明する。
（１）  前述した実施の形態においては、電源装置２００は、図１で説明したような回路であることとした。しかし、これに限定されず、電源装置２００の入力側から出力側への電力の伝達と非伝達とをデューティ比を変化させて制御する電源回路であれば他のものであってもよい。
【００７３】
（２）  前述した実施の形態においては、電源装置２００は、交流が入力されて直流が出力されるものであることとした。しかし、これに限定されず、交流が入力されて交流が出力される電源装置であってもよいし、直流が入力されて交流が出力されるものであってもよいし、直流が入力されて直流が出力されるものであってもよい。
【００７４】
（３）  前述した実施の形態においては、電源装置２００の入力側から出力側への電力の伝達と非伝達とを切替えるデバイスがＭＯＳ−ＦＥＴ２４０であることとした。しかし、これに限定されず、他のスイッチング素子であってもよい。
【００７５】
（４）  前述した実施の形態においては、電力供給制御装置１００の負荷制御回路１１０によって、図２で説明したソフトウェアの処理が実行されることによって、所定の機能が実行されるようにした。しかし、これに限定されず、図２の処理を実行するハードウェア回路として、負荷制御回路１１０が構成され、所定の機能が実行されるようにしてもよい。
【００７６】
（５）  前述した実施の形態においては、デューティ比が所定値（前述した実施の形態においては９０％）以上となった場合に、電源装置２００への入力電力が減少したと判断するようにした。しかし、これに限定されず、デューティ比の増加率または増加速度が所定値以上となった場合に、電源装置２００への入力電力が減少したと判断するようにしてもよい。また、所定値は、電源装置２００のキャパシティ、および、負荷の特性などの周辺条件に応じた他の値であってもよい。
【００７７】
（６）  前述した実施の形態においては、デューティ比が９０％以上となった場合に、デューティ比が所定値（前述した実施の形態においては、９０％）「未満」となるように、負荷の消費電力（前述した実施の形態においては、バックライトの輝度）を減少させるよう制御した。しかし、これに限定されず、所定値「以下」となるように、制御するようにしてもよい。
【００７８】
（７）  前述した実施の形態のおいては、図２のステップＳ１１２からステップＳ１２３で説明したように、デューティ比が所定値以上となった場合に、バックライト３２０の輝度を表示内容を視認可能な最低レベルに制御し、それでも、デューティ比が所定値を下回らない場合に、ディスプレイ１０を待機状態に制御するようにした。
【００７９】
しかし、これに限定されず、デューティ比が所定値以上となった場合に、バックライト３２０の輝度を最低レベル（たとえば、０、または、制御可能な最も低い値）に制御するようにしてもよい。このようにすれば、必ず、デューティ比が、一旦、所定値を下回るようになり、以後、図２のステップＳ１２４で説明したように、徐々に、輝度を増加させるように制御することにより、大多数の人が表示内容を視認可能な最低レベル以下の輝度のレベルにも制御することが可能となり、そのような最低レベル以下の輝度のレベルでしか、デューティ比が所定値を下回らない場合であっても、低い割合ながらも一部の人にでも、表示内容を認識させることも可能とすることができる。
【００８０】
（８）  電力供給制御装置１００に、電源装置（たとえば、電源装置２００）からデューティ比を入力する第１の入力部（たとえば、第１の入力端子）、負荷（たとえば、バックライト３２０）の制御装置（たとえば、ディスプレイ制御回路３１０）からの負荷の消費電力（たとえば、バックライト３２０の輝度）を制御する制御信号を入力するための第２の入力部（たとえば、第２の入力端子）、および、デューティ比に応じて調整された負荷の消費電力を制御する制御信号を出力するための出力部（たとえば、出力端子）を設けておくようにしてもよい。
【００８１】
これにより、電力供給制御装置１００を既存の電気機器に容易に組込むことができるようにすることができる。具体的には、負荷の制御装置から負荷への制御信号の信号線を分断して、制御装置に接続されている側を、第２の入力端子に接続し、負荷に接続されている側を、出力端子に接続し、電源装置から取出したデューティ比の信号線を、第１の入力端子に接続するだけで、電力供給制御装置１００を電気機器に組込むことができる。
【００８２】
（９）  前述した実施の形態においては、図２で説明したように電源装置２００のデューティ比に応じて負荷（たとえば、バックライト３２０）の消費電力を制御するようにした。しかし、これに限定されず、電源装置２００のデューティ比が所定値（たとえば、９０％）になることを制御目標として負荷の消費電力を制御する方法であれば、他の方法であってもよい。たとえば、電源装置２００のデューティ比をフィードバックして負荷の消費電力を制御するフィードバック制御（たとえば、ＰＩＤ制御）であってもよい。
【００８３】
（１０）  前述した実施の形態においては、電力供給制御装置１００として発明の実施の形態を説明した。しかし、電力供給制御装置１００における図２で説明したような制御を行なう電力供給制御方法の発明として捉えることもできるし、電力供給制御装置１００の図２で説明したような処理を実行させる電力供給制御プログラムの発明として捉えることもできるし、電力供給制御装置１００を有する電気機器（たとえば、ディスプレイ１０）の発明として捉えることもできる。
【００８４】
（１１）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８５】
１０  ディスプレイ、２０  交流電源、１００  電力供給制御装置、１１０  負荷制御回路、１２０  デューティ比検知回路、２００  電源装置、２１０  電源装置制御回路、２２０  整流ブリッジ、２３０，２７０  電解コンデンサ、２５０  高周波トランス、２６０  ダイオード、３１０  ディスプレイ制御回路、３２０  バックライト、３３０  バックライト駆動回路、３４０  液晶パネル、３５０  液晶駆動回路。
【図１】
2013114922.tif 000003
【図２】
2013114922.tif 000004
【図３】
2013114922.tif 000005